(57)【特許請求の範囲】
【請求項１】
容器口部を閉止するキャップの内面に設けられ、該容器口部の頂部に当接するライナにおいて、表面に複数の突起部からなる突起群を設け、前記突起群は、前記ライナの直径の半分よりも小さい範囲で、前記容器口部の中心対応部付近に設けられ、前記容器口部側に露出した前記表面において前記突起群のみが突出していることを特徴とするライナ。
【請求項２】
容器口部の頂部に当接するライナが内面に設けられているキャップにおいて、前記ライナの表面に、複数の突起部からなる突起群を設け、前記突起群は、前記ライナの直径の半分よりも小さい範囲で、前記容器口部の中心対応部付近に設けられ、前記容器口部側に露出した前記表面において前記突起群のみが突出していることを特徴とするキャップ。
【請求項３】
容器口部の頂部に当接するライナが内面に設けられているキャップと、該キャップで容器口部が閉止されるボトル缶とを備えたキャップ付ボトル缶において、前記キャップのライナの表面に、複数の突起部からなる突起群を設け、前記突起群は、前記ライナの直径の半分よりも小さい範囲で、前記容器口部の中心対応部付近に設けられ、前記容器口部側に露出した前記表面において前記突起群のみが突出していることを特徴とするキャップ付ボトル缶。
【発明の詳細な説明】
【技術分野】
【０００１】
本発明はライナ、キャップ及びキャップ付ボトル缶に関し、例えばスポーツドリンク等の清涼飲料水やコーヒー等の飲み物を封入して販売するためのキャップ付ボトル缶に適用して好適なものである。
【背景技術】
【０００２】
近年、飲料容器として、ガラスや合成樹脂製のものに代えて、アルミニウム等の金属製でなるボトル缶が用いられており、これに伴い、ボトル缶を閉止するキャップ（以下、これを飲料容器用キャップと呼ぶ）についてもアルミニウム等の金属製で形成されたものが用いられている。
【０００３】
そして、このような金属製でなる飲料容器用キャップの天板部の内面には、例えば、ポリプロピレンとゴムとを混合したものやポリエチレン、ＥＶＡ（エチレン酢酸ビニル共重合体）等のような比較的軟質の合成樹脂材で成形されたライナが設けられており、このライナが閉止時に容器口部の頂部に当接し容器内部を密封し得るようになされている。
【０００４】
また、このライナのライナ周辺部には、環状に突出したシール部が形成されており、飲料容器用キャップでボトル缶を閉止させた際にシール部がボトル缶の容器口部に密着して、当該ボトル缶内を一段と確実に密封するようになされている（例えば特許文献１）。
【特許文献１】特開２００５−１３２４０１号公報
【発明の開示】
【発明が解決しようとする課題】
【０００５】
ところで、かかる構成のライナでは、ボトル缶から飲料容器用キャップを取り外した際に、当該ライナの表面に付着した内容物たる液体が雫となってシール部から容器口部に垂れることがある。
【０００６】
そして、この状態のまま飲料容器用キャップを再び容器口部に取り付けると、容器口部に付着した液体は、その水分を蒸発させて内容物中に含まれる糖分等がシュガーセメント状となり、このシュガーセメント状となった残物が飲料容器用キャップの開閉作業を妨げるおそれがあった。また、このような残物は、飲料容器用キャップの密閉性を低下させるおそれがあるとともに、容器口部が不衛生となるという問題があった。
【０００７】
本発明は、以上の問題点を考慮してなされたもので、キャップの開閉作業を従来よりも一段と円滑に行えることができるとともに、キャップの密閉性の低下を防止でき、さらには容器口部を衛生的に保つことができるライナ、キャップ及びキャップ付ボトル缶を提供しようとするものである。
【課題を解決するための手段】
【０００８】
本発明の請求項１記載のライナは、容器口部を閉止するキャップの内面に設けられ、該容器口部の頂部に当接するライナにおいて、表面に複数の突起部からなる突起群を設け、前記突起群は、前記ライナの直径の半分よりも小さい範囲で、前記容器口部の中心対応部付近に設けられ、前記容器口部側に露出した前記表面において前記突起群のみが突出しているものである。
【０００９】
また、本発明の請求項２記載のキャップは、容器口部の頂部に当接するライナが内面に設けられているキャップにおいて、前記ライナの表面に、複数の突起部からなる突起群を設け、前記突起群は、前記ライナの直径の半分よりも小さい範囲で、前記容器口部の中心対応部付近に設けられ、前記容器口部側に露出した前記表面において前記突起群のみが突出しているものである。
【００１０】
また、本発明の請求項３記載のキャップ付ボトル缶は、容器口部の頂部に当接するライナが内面に設けられているキャップと、該キャップで容器口部が閉止されるボトル缶とを備えたキャップ付ボトル缶において、前記キャップのライナの表面に、複数の突起部からなる突起群を設け、前記突起群は、前記ライナの直径の半分よりも小さい範囲で、前記容器口部の中心対応部付近に設けられ、前記容器口部側に露出した前記表面において前記突起群のみが突出しているものである。
【発明の効果】
【００１１】
本発明の請求項１記載のライナ、請求項２記載のキャップ及び請求項３記載のキャップ付ボトル缶では、突起部により液体を互いに接触させて雫とし、その自重によって容器内部へ落下させるようにしたことにより、ライナの表面に付着した液体を容器口部に付着し難くさせて、液体がシュガーセメント状となった残物により容器口部においてキャップの開閉作業が妨げられることを防止でき、かくしてキャップの開閉作業を従来よりも一段と円滑に行えることができるとともに、残物によりキャップの密閉性の低下を防止でき、さらには残物の付着を防止して容器口部を衛生的に保つことができる。また、容器口部側に露出した表面において突起群のみが突出し、容器口部から最も離れた中心対応部付近で突起部により液体を互いに接触させて雫とし、その自重によって当該容器口部の中心位置から容器内部へ落下させることができるので、ライナの表面に付着した液体を一段と確実に容器口部に付着し難くさせ、液体がシュガーセメント状となって容器口部に付着することを確実に防止できる。
【発明を実施するための最良の形態】
【００１２】
以下、本発明の実施の形態について、図面を参照しながら説明する。
【００１３】
図１において、１はキャップ付ボトル缶を示し、このキャップ付ボトル缶１は、使用者が片手で保持できる大きさでなるボトル缶２と、当該ボトル缶２を閉止するための飲料容器用キャップ３とで構成され、ボトル缶２の容器口部４に飲料容器用キャップ３が螺着され、容器内部５を密封し得るようになされている。
【００１４】
飲料容器用キャップ３は、アルミニウム等でなり、天板部６とこの天板部６の周縁部から垂下した筒部７とによって有底筒状に形成され、天板部６の内面８にポリエチレン（ＰＥ）、ＥＶＡ樹脂、エチレンプロピレンラバー（ＥＰＲ）等の合成樹脂材からなるライナ９が設けられた構成を有する。
【００１５】
ライナ９は、図２（Ａ）と、この図２（Ａ）のＡ−Ａ’線を断面にとった図２（Ｂ）とに示すように、飲料容器用キャップ３の天板部６（図１）の形状に合わせてほぼ円盤状に形成されたライナ本体10と、このライナ本体10の周辺部において環状に突出したシール部11とを有し、飲料容器用キャップ３により容器口部４を閉止したとき、ライナ９のシール部11が容器口部４の頂部4aに当接して容器内部５を確実に密封し得るようになされている。
【００１６】
かかる構成に加えてライナ本体10には、ボトル缶２の容器口部４を飲料容器用キャップ３により閉止したとき、当該容器口部４のほぼ中心位置となる中心対応部12付近に突起群13が形成されており、容器口部４側に露出したほぼ平面形状でなるライナ本体10の表面14において突起群13のみが突出し得るようになされている。
【００１７】
実際上、この突起群13は、複数（この場合、３個）の突起部15a,15b,15cから構成されており、これら同一形状の突起部15a,15b,15cが互いに近接するように配置されている。
【００１８】
この実施の形態の場合、突起群13は、複数の突起部15a,15b,15cが非接触状態であって互いに最も近接する位置に配置され、これら突起部15a,15b,15cがライナ本体10の中心対応部12付近に密集し得るようになされている。
【００１９】
また、この場合、突起群13は、中心がライナ本体10の中心対応部12と一致する円形仮想線VL1上に、これら突起部15a,15b,15cの中心部（以下、これを突起中心部と呼ぶ）が位置し得るとともに、当該突起部15a,15b,15c間の間隔がそれぞれ均等（例えば、約０．２ｍｍ程度の間隔）となっていることにより、当該ライナ本体10の中心対応部12付近において規則的に配置されている。
【００２０】
突起部15a,15b,15cは、ほぼ円柱形状で形成されており、一端がそれぞれライナ本体10の表面14に一体成形され、他端が天板部６から離れる方向に延びており、その高さ寸法Ｈが例えば約０．３〜１．５ｍｍ程度でライナ９のシール部11から僅かに突出するように選定されている。因みに、この実施の形態の場合、突起部15a,15b,15cは、直径が約３ｍｍ程度に選定されているが、本発明はこれに限らず、この他種々の直径で形成するようにしても良い。
【００２１】
以上の構成において、飲料容器用キャップ３で容器口部４を閉止しているときにキャップ付ボトル缶１を傾けた場合には、ライナ９の表面14に内容物たる液体（図示せず）が付着することがある。
【００２２】
この状態において、飲料容器用キャップ３を容器口部４から取り外すと、突起群13は、飲料容器用キャップ３の傾きに応じて、ライナ９の表面14上を表面張力により移動する液体を突起部15a,15b,15cのいずれかに接触させることができる。
【００２３】
このとき突起群13は、突起部15a,15b,15cに接触した液体をその表面張力により留まらせ、当該突起部15a,15b,15cの軸方向に沿って下方に導くことにより当該突起部15a,15b,15cの先端に液体を寄せ集めて雫とし、当該液体をその自重によってライナ９の表面14からボトル缶２内へ落下させることができる。
【００２４】
因みに、この突起群13が設けられている範囲は、ライナ９の直径の半分よりも小さくなるように選定され、当該突起部15a,15b,15cとライナ９のシール部11との間に十分な間隔が設けられていることにより、突起部15a,15b,15cに留まった液体が当該シール部11に接触することを防止し、確実に当該液体を突起部15a,15b,15cに留まらせることができる。
【００２５】
また、この突起群13では、複数の突起部15a,15b,15cを密集するようにして設けたことにより、各突起部15a,15b,15c毎に表面張力によって留まった液体を互いに接触させ易くし、これにより飲料容器用キャップ３が僅かに傾けられるだけで当該液体を容易に一つの雫にでき、かくして当該液体をその自重によってライナ９の表面14からボトル缶２内へ容易に、かつ確実に落下させることできる。
【００２６】
このとき突起群13は、ライナ本体10において、容器口部４の中心位置（すなわち、容器口部４から最も離れた位置）付近となる中心対応部12に設けられていることにより、当該ライナ９の表面14に付着した液体を容器口部４の中心付近から雫としてボトル缶２内へ落下させることができるので、ライナ９の表面  14に付着した液体が容器口部４に垂れて付着することを確実に防止できる。
【００２７】
かくして、飲料容器用キャップ３では、容器口部４から取り外した際に、ライナ９の表面14に付着した液体を当該ライナ９から容器口部４に付着し難くさせることができるので、液体がシュガーセメント状となって容器口部４に付着することを未然に防止できる。その結果、シュガーセメント状となった残物により容器口部４において飲料容器用キャップ３の開閉作業が妨げられることを防止できる。
【００２８】
また、突起群13を構成する複数の突起部15a,15b,15cは、円形仮想線VL1上に各突起中心部が位置するように規則的に配置されていることにより、突起群13周辺のいずれの方向からでも液体を当該突起部15a,15b,15cに留まらすことができ、かくして飲料容器用キャップ３を容器口部４から取り外す際に当該液体を確実に容器口部４の中心付近から雫としてボトル缶２内へ落下させることができる。
【００２９】
さらに、複数の突起部15a,15b,15cは、円形仮想線VL1上に各突起中心部が位置するように規則的に配置されていることにより所定の図柄が形成され、これにより飲料容器用キャップ３の内面８に意外性を演出でき、かくして意匠的な効果も与えることができる。
【００３０】
以上の構成によれば、ライナ９の表面14に付着した液体を、突起部15a,15b,15cに集め、各突起部15a,15b,15c毎に表面張力によって留まった液体を互いに接触させ易くして、その自重によって当該容器口部４から容器内部５へ落下し易くさせるようにしたことにより、ライナ９の表面14に付着した液体を容器口部４に付着し難くさせることができ、かくして液体がシュガーセメント状となって容器口部４に付着することを未然に防止できる。
【００３１】
その結果、このようなシュガーセメント状となった残物により容器口部４において飲料容器用キャップ３の開閉作業が妨げられることを防止でき、かくして飲料容器用キャップ３の開閉作業を従来よりも一段と円滑に行えることができる。また、残物により飲料容器用キャップ３の密閉性の低下を防止でき、さらには残物の付着を防止して容器口部４を衛生的に保つことができる。
【００３２】
また、ライナ９の表面14に付着した液体を、突起部15a,15b,15cによって容器口部４から最も離れた中心対応部12付近に集め、各突起部  15a,15b,15c毎に表面張力によって留まった液体を互いに接触させ易くして、その自重によって当該容器口部４の中心位置から容器内部５へ落下し易くさせるようにしたことにより、ライナ９の表面14に付着した液体を一段と確実に容器口部４に付着し難くさせることができ、かくして液体がシュガーセメント状となって容器口部４に付着することを確実に防止できる。
【００３３】
なお、上述した実施の形態においては、密集する複数の突起部からなる突起群として、３個の突起部15a,15b,15cを密集するように設けるようにした場合について述べたが、本発明はこれに限らず、２個以上の突起部を密集（近接）するように設ければ良く、４個や５個等の突起部を適用するようにしても良い。要は飲料容器用キャップ３を僅かに傾けるだけで各突起部毎に表面張力で留まった液体を互いに接触させ易くし、これにより液体を一つの雫としてその自重によってライナの表面から飲料容器本体内へ落下させることができれば良い。
【００３４】
例えば、図２（Ａ）との対応部分に同一符号を付して示す図３（Ａ）と、この図３（Ａ）のＢ−Ｂ’線を断面にとった図３（Ｂ）とのように、６個の突起部20a〜20fから構成された突起群21を適用しても良く、この場合、突起群21は、これら６個の突起部20a〜20fが非接触状態であって最も近接する位置に配置され、これら合計６個の突起部20a〜20fがライナ本体10の中心対応部12付近に密集するように形成されている。
【００３５】
実際上、この突起群21は、中心をライナ本体10の中心対応部12と一致させた小径でなる第１の円形仮想線VL1上に、３個の突起部  20a,20b,20cがその突起中心部を一致させ、隣接する突起部20a,20b,20c間の間隔が均等となっていることにより、当該ライナ本体10の中心対応部12付近において規則的に配置されている。
【００３６】
かかる構成に加えて突起群21は、中心をライナ本体10の中心対応部12と一致させ、かつ第１の円形仮想線VL1よりも径が大きな第２の円形仮想線VL2  上にさらに３個の突起部20d,20e,20fがその突起中心部一致させ、隣接する突起部20d,20e,20f間の間隔が均等となっていることより、当該ライナ本体10の中心対応部12付近において規則的に配置されている。
【００３７】
この実施の形態の場合、第２の円形仮想線VL2上に配置される３個の突起部20d,20e,20fは、第１の円形仮想線VL1上の突起部  20a,20b,20c間にそれぞれ配置されていることにより、第１の円形仮想線VL1上に配置された突起部20a,20b,20cに一段と近接させることができ、その結果、突起部20a〜20f全体を中心対応部12に一段と確実に密集させて配置し得るようになされている。
【００３８】
以上の構成において、突起群21は上述した効果と同様の効果を得ることができる。また、この実施の形態の場合、突起群21は、第１の円形仮想線VL1よりも径が大きな第２の円形仮想線VL2上にさらに３個の突起部20d,20e,20fが設けられていることにより、飲料容器用キャップ３の傾きに応じてライナ９の表面14を移動する液体を一段と容易に当該突起部20d,20e,20fに接触させ易くすることがきる。
【００３９】
従って、この突起群21では、各突起部20a〜20f毎に表面張力によって液体を一段と容易に留まらせ易くできるので、当該突起部20a〜20fに留まった液体を互いに接触させ易くし、これにより雫となった液体をその自重によってライナ９の表面14からボトル缶２内へ一段と容易に、かつ確実に落下させることできる。
【００４０】
そして、この実施の形態の場合、突起群21は、第１の円形仮想線VL1上に加えて第２の円形仮想線VL2上にも複数の突起部20d,20e,20fが規則的に配置されていることにより一段と複雑な図柄が形成され、これにより飲料容器用キャップ３の内面８に意外性を演出でき、かくして意匠的な効果も与えることができる。
【００４１】
また、例えば、図２（Ａ）との対応部分に同一符号を付して示す図４（Ａ）と、この図４（Ａ）のＣ−Ｃ’線を断面にとった図４（Ｂ）とのように、１２個の突起部30a〜30lから突起群31を構成するようにしても良い。この場合、突起群31は、これら１２個の突起部30a〜30lが非接触状態であって、周方向に隣接する突起部30a〜30lが最も近接するように配置され得る。
【００４２】
実際上、この突起群31は、中心をライナ本体10の中心対応部12と一致させた小径でなる第１の円形仮想線VL3上に、６個の突起部30a〜30fがその突起中心部を一致させ等間隔で配置されている。かかる構成に加えて突起群31は、中心をライナ本体10の中心対応部12と一致させ、かつ第１の円形仮想線  VL3よりも径が大きな第２の円形仮想線VL4上にさらに６個の突起部30g〜30lがその突起中心部を一致させて等間隔に配置され、これら合計１２個の突起部30a〜30lがライナ本体10の中心対応部12付近に密集するように形成されている。
【００４３】
この場合、第２の円形仮想線VL4上に配置される６個の突起部30g〜30lは、第１の円形仮想線VL3上の突起部30a〜30f間にそれぞれ配置（例えば、第１の円形仮想線VL3上の突起部30a及び突起部30bの間に、第２の円形仮想線VL4上の突起部30gが配置）されていることにより、第１の円形仮想線VL3上の突起部30a〜30fに一段と近接させることができ、その結果、突起部30a〜30l全体を中心対応部12に一段と確実に密集させて配置し得るようになされている。
【００４４】
以上の構成において、突起群31は、上述した効果と同様の効果を得ることができる。また、この実施の形態の場合、突起群31は、第１の円形仮想線VL3よりも径が大きな第２の円形仮想線VL4上にさらに６個の突起部30g〜30lが設けられていることにより、飲料容器用キャップ３の傾きに応じてライナ９の表面14を移動する液体を一段と容易に当該突起部30g〜30lに接触させ易くすることがきる。
【００４５】
かくして、突起群31では、各突起部30a〜30l毎に表面張力によって留まらせた液体を容易に接触させ易くし、これにより雫となった液体をその自重によってライナ９の表面14からボトル缶２内へ一段と確実に落下させることできる。
【００４６】
さらに、例えば、図２（Ａ）との対応部分に同一符号を付して示す図４（Ａ）と、この図５（Ａ）のＤ−Ｄ’線を断面にとった図５（Ｂ）とのように、１３個の突起部30a〜30l及び40から突起群41を構成するようにしても良い。
【００４７】
実際上、突起群41は、第１の円形仮想線VL3及び第２の円形仮想線VL4の中心となる中心対応部12にさらに突起部40が配置され、これら合計１３個の突起部30a〜30l及び40がライナ本体10の中心対応部12付近に密集するように形成され得る。
【００４８】
この場合、突起群41では、第１の円形仮想線VL3及び第２の円形仮想線VL4の周方向だけでなく、中心対応部12に設けた突起部40により直径方向においても各突起部30a〜30l及び40毎に表面張力によって留まらせた液体を互いに接触させ易くできるので、当該突起部30a〜30l及び40に留まった液体を一段と容易に雫にできる。
【００４９】
さらに、上述した実施の形態においては、ほぼ円柱状に形成した突起部15a,15b,15cを適用するようにした場合について述べたが、本発明はこれに限らず、ほぼ三角柱、角柱等の各種柱状に形成された突起部や、円錐又は角錐等に形成された突起部、円環状に形成された突起部等の種々の形状でなる突起部を適用するようにしても良い。
【００５０】
例えば、図２（Ａ）との対応部分に同一符号を付して示す図６（Ａ）と、この図６（Ａ）のＥ−Ｅ’線を断面にとった図６（Ｂ）とのように、湾曲した帯状でなる複数の突起部51,52,53と円柱形状の突起部54とから突起群55を構成するようにしても良く、この場合、突起群55  は、これら突起部51,52,53,54が非接触状態であって、ライナ本体10の中心対応部12に密集するように配置された構成を有する。
【００５１】
実際上、突起群55は、同一形状でなる複数（例えば４個）の突起部51を周方向に隣接させることにより第１の円環形状部56が形成されているとともに、当該第１の円環形状部56よりも径が小さく選定された同一形状でなる複数（例えば４個）の突起部52を周方向に隣接させることにより、第１の円環形状部56  の内側に第２の円環形状部57が形成されている。
【００５２】
また、突起群55は、第２の円環形状部よりも径が小さく選定された同一形状でなる複数（例えば４個）の突起部53を周方向に隣接させることにより、第２の円環形状部56の内側に第３の円環形状部58が形成されているとともに、第１の円環形状部56、第２の円環形状部57及び第３の円環形状部58とは異なる形状でなる柱状の突起部54がライナ本体10の中心対応部12に設けられている。
【００５３】
以上の構成において、突起群55は、上述した効果と同様の効果を得ることができる。また、この場合、突起群55は、径が異なる複数の円環形状（第１の円環形状部56、第２の円環形状部57及び第３の円環形状部58）を形成するように複数の突起部51,52,53が規則的に配置されていることにより一段と複雑な図柄が形成され、これにより飲料容器用キャップ３の内面８に意外性を演出でき、かくして意匠的な効果も与えることができる。
【００５４】
また、例えば、図６（Ａ）との対応部分に同一符号を付して示す図７（Ａ）と、図７（Ａ）のＦ−Ｆ’線を断面にとった図７（Ｂ）とのように、第１の円環形状部56、第２の円環形状部57及び第３の円環形状部58に加えて、さらに第４の円環形状部60を設けた突起群61を適用するようにしても良い。
【００５５】
この場合、突起群61は、第３の円環形状部58よりも径が小さく選定された同一形状でなる複数（例えば４個）の突起部62を周方向に隣接させることにより、第３の円環形状部58の内側に第４の円環形状部60が形成されている。以上の構成において、突起群61は、上述した効果と同様の効果を得ることができる。
【００５６】
さらに、例えば、図７（Ａ）との対応部分に同一符号を付して示す図８（Ａ）と、図８（Ａ）のＧ−Ｇ’線を断面にとった図８（Ｂ）とのように、第１の円環形状部56、第２の円環形状部57、第３の円環形状部58及び第４の円環形状部60を中心対応部12にさらに密集するように各突起部51,52,53を小型にした突起群71を適用するようにしても良い。以上の構成において、突起群71は、上述した効果と同様の効果を得ることができる。
【００５７】
なお、本発明は上記した実施例に限定されるものではなく、本発明の特許請求の範囲に記載した事項の範囲内で種々の変形実施をすることができ、例えば合成樹脂材やガラスでなる飲料容器用キャップや、化粧水用の容器等の各種容器に用いる種々のキャップに用いるライナに適用するようにしても良い。
【図面の簡単な説明】
【００５８】
【図１】本発明によるキャップ付ボトル缶の全体構成を示す側断面図である。
【図２】ライナの詳細構成を示す正面図及び側断面図である。
【図３】他の実施の形態による突起群（１）の構成を示す正面図及び側断面図である。
【図４】他の実施の形態による突起群（２）の構成を示す正面図及び側断面図である。
【図５】他の実施の形態による突起群（３）の構成を示す正面図及び側断面図である。
【図６】他の実施の形態による突起群（４）の構成を示す正面図及び側断面図である。
【図７】他の実施の形態による突起群（５）の構成を示す正面図及び側断面図である。
【図８】他の実施の形態による突起群（６）の構成を示す正面図及び側断面図である。
【符号の説明】
【００５９】
１  キャップ付ボトル缶
２  ボトル缶
３  飲料容器用キャップ（キャップ）
４  容器口部
4a  頂部
５  容器内部
８  内面
９  ライナ
13  突起群
14  表面
15a,15b,15c  突起部
【図１】
0004798537.tif 000002
【図２】
0004798537.tif 000003
【図３】
0004798537.tif 000004
【図４】
0004798537.tif 000005
【図５】
0004798537.tif 000006
【図６】
0004798537.tif 000007
【図７】
0004798537.tif 000008
【図８】
0004798537.tif 000009